(57)【特許請求の範囲】
【請求項１】
第１の複数の水平方向を向いている開口を含む外縁を有するトップシェルマウントと、
第２の複数の水平方向を向いている開口を含む外縁を有するボトムシェルマウントと、
複数のアンカーアセンブリと、
複数のロッドと
を備え、
各アンカーアセンブリは、
（ｉ）水平方向の空洞と鉛直方向の空洞とを含むアンカーブロックと、
（ｉｉ）一対の振動吸収減衰器と、
（ｉｉｉ）ボルトと
を有し、
一のアンカーブロックは、前記外縁の水平方向を向いている開口の両側に沿って前記一対の振動吸収減衰器を配置することにより、前記ボルトを前記一対の振動吸収減衰器を通して挿入することにより、および、前記ボルトの端部を前記アンカーブロックの前記水平方向の空洞内に固定することにより、前記トップシェルマウントと前記ボトムシェルマウントとのうち少なくとも１つの前記外縁に水平方向に連結し、
各ロッドは、両端に複数のスレッドを有し、前記トップシェルマウントに連結された第１アンカーブロックの鉛直方向の空洞と、前記ボトムシェルマウントに連結され前記第１アンカーブロックと整列させられた第２アンカーブロックの鉛直方向の空洞とに固定され、
前記トップシェルマウントと前記ボトムシェルマウントとを分け隔てる距離は、前記複数のロッドが前記鉛直方向の空洞内に固定される深さに基づき設定可能である、楽器。
【請求項２】
各アンカーアセンブリは、複数の突起を含むエンドキャップをさらに有し、
前記エンドキャップは、前記複数の突起が前記外縁に当接させられた状態で振動吸収減衰器と前記外縁の前記水平方向を向いている開口との間に配置される、請求項１に記載の楽器。
【請求項３】
前記トップシェルマウントは、入れ換え可能なベアリングエッジを保持するためのベアリングエッジグルーブをさらに有する、請求項１または２に記載の楽器。
【請求項４】
異なる複数の角度でそれぞれが切られた複数のベアリングエッジをさらに備え、
各ベアリングエッジの角度は、前記ベアリングエッジグルーブ内に差し込まれたときに、前記楽器に、異なる調性を提供する、請求項３に記載の楽器。
【請求項５】
前記トップシェルマウントとボトムシェルマウントとの間に配置されたシェルをさらに備え、
前記シェルの共鳴により生成される音は、前記複数のロッドが前記鉛直方向の空洞内に固定される前記深さを調節することにより設定可能である、請求項１から４のいずれか一項に記載の楽器。
【請求項６】
前記複数のロッドは、各シェルマウントの前記外縁の外面に沿って、前記トップシェルマウントを前記ボトムシェルマウントへ繋ぐ、請求項１から５のいずれか一項に記載の楽器。
【請求項７】
前記複数のロッドは、各シェルマウントの前記外縁の内面に沿って、前記トップシェルマウントを前記ボトムシェルマウントに繋ぐ、請求項１から６のいずれか一項に記載の楽器。
【請求項８】
ドラム音をカスタマイズするための枠体であって、
異なる複数の角度で切られ、前記ドラム音の第１カスタマイズを提供する複数のベアリングエッジと、
ドラムシェルの第１エッジの頂部に取り付れたトップシェルマウントと
を備え、
前記トップシェルマウントは、（ｉ）前記複数のベアリングエッジの何れかを受けるグルーブと、（ｉｉ）前記グルーブに差し込まれるベアリングエッジ上に位置付けられるドラムヘッドとを有し、
前記グルーブ内に差し込まれた前記ベアリングエッジの角度は、前記ドラムヘッドから前記ドラムシェルへのエネルギーの伝達を変化させることにより前記ドラム音の第１カスタマイズを提供し、
前記枠体は、
前記ドラムシェルの、前記第１エッジと反対の第２エッジの頂部に取り付けるためのボトムシェルマウントと、
少なくとも前記ドラムシェルの長さに亘って延びる複数のテンションロッドと、
複数のホルダと
を備え、
前記複数のホルダのうち各ホルダは、
（ｉ）鉛直方向に向けられた開口と水平方向に向けられた開口とを含むアンカーと、
（ｉｉ）前記トップシェルマウントと前記ボトムシェルマウントとのうち１つの周面に沿って開口を通り前記アンカーの前記水平方向に向けられた開口に固定されることにより、前記ホルダを前記トップシェルマウントと前記ボトムシェルマウントとのうちの１つに連結するためのボルトと、
（ｉｉｉ）前記トップシェルマウントを前記ボトムシェルマウントから分け隔てる距離を調節することにより前記ドラム音の第２のカスタマイズを提供するテンションロッドカプラと
を有し、
前記距離を調節することは、前記テンションロッドカプラを、前記鉛直方向に向けられた開口を通るテンションロッドの端部に連結し、前記テンションロッドカプラを第１方向に回転させて前記距離を短くし、前記テンションロッドカプラを反対方向である第２の方向に回転させて前記距離を長くすることを含む、枠体。
【請求項９】
前記テンションロッドカプラを前記第１方向に回転させて前記距離を短くすることにより、前記ドラムシェルの圧縮が増加し、
前記テンションロッドカプラを前記第２方向に回転させて前記距離を長くすることにより、前記ドラムシェルの圧縮が減少する、請求項８に記載の枠体。
【請求項１０】
前記複数のベアリングエッジの第１ベアリングエッジは３０度の角度で切られ、前記複数のベアリングエッジの第２ベアリングエッジは４５度の角度で切られる、請求項８または９に記載の枠体。
【請求項１１】
前記複数のベアリングエッジの第１ベアリングエッジは、丸みのある縁を提供する角度で切られ、前記複数のベアリングエッジの第２ベアリングエッジは鋭い縁を提供する角度で切られる、請求項８から１０のいずれか一項に記載の枠体。
【請求項１２】
前記複数のテンションロッドの各テンションロッドは、外部スレッドを含む第１端部と外部スレッドを含む第２端部とを有する、請求項８から１１のいずれか一項に記載の枠体。
【請求項１３】
前記テンションロッドカプラは、前記外部スレッドにネジ留めされるナットを含む、請求項１２に記載の枠体。
【請求項１４】
前記複数のテンションロッドの各テンションロッドは、外部スレッドと内部スレッドとを含む第１端部と、外部スレッドと内部スレッドとを含む第２端部を有する、請求項８から１３のいずれか一項に記載の枠体。
【請求項１５】
特定のテンションロッドの前記第１端部のための前記外部スレッドは、前記鉛直方向に向けられた開口の第１端部を通り、前記鉛直方向に向けられた開口の反対にある第２端部においてナットにより固定され、
前記テンションロッドカプラは、前記第２端部から前記ナットを通り、前記特定のカプラの前記第１端部のための前記内部スレッドにネジ留めされて前記ナットを決まった場所にロックするボルトを含む、請求項１４に記載の枠体。
【請求項１６】
前記トップシェルマウントは、前記グルーブを含む下側リングと上側リングとをさらに有し、
前記ドラムヘッドは、前記上側リングを前記ドラムヘッド上に配置し、前記上側リングを前記下側リングに固定することにより固定される、請求項８から１５のいずれか一項に記載の枠体。
【発明の詳細な説明】
【技術分野】
【０００１】
［関連出願の便益の主張］  本願は、２０１３年４月５日に提出された、発明の名称が「Ｄｒｕｍ  Ｍｏｕｎｔｉｎｇ  ａｎｄ  Ｔｕｎｉｎｇ  Ｓｙｓｔｅｍ  Ｐｒｏｖｉｄｉｎｇ  Ｕｎｈｉｎｄｅｒｅｄ  ａｎｄ  Ｉｓｏｌａｔｅｄ  Ｒｅｓｏｎａｎｃｅ」である米国非仮出願第１３／８５７，９２４号の継続出願である。出願第１３／８５７，９２４号の内容は、これによって参照により組み込まれる。
【０００２】
本願発明は楽器の構造および設計に関し、より具体的には、ドラム構造および設計に関する。
【背景技術】
【０００３】
芸術的な表現は、音楽を含むいくつかの媒体のうちの何れか１つで伝えられ得る。楽器は、音楽性を表現するのに用いられるツールを提供する。概してドラムまたはパーカッションの楽器は、１つのそのようなツールである。
【０００４】
ドラム構造および設計は、いくつかの世代に亘り変わらないままである。この変わらない構造および設計は、楽器の初期の具体化によって生成されていた音質を維持してきた。現在は標準的であり、よく見られるものではあるが、従来の構造および設計に従って構成されたドラムにより生成される音は、弱められミュートされたものである。ドラムシェルの共鳴する、および完全かつ豊かな音を生成する能力を妨げる、シェル内に組み込まれた構造的な特徴がその理由となっている。
【０００５】
図１は、従来技術において一般的であるドラム構造および設計を示す。ドラムは、一対のドラムフープまたはリム、シェル、一式のラグ、およびドラムシェルの側部に亘り取り付けられた対応する一式のラグホルダから構成される。
【０００６】
各フープの内部はドラムヘッドを収容する。ドラムヘッドは、演奏中に打たれたときに振動する接触面である。典型的なドラムに関して、バッタヘッドと呼ばれることがあるドラムの頂部側のドラムヘッドは、その楽器を演奏しているときにドラマーが打つドラムの部分である。ドラムの底部側のドラムヘッドは、共鳴を提供し、通常頂部側のドラムヘッドより薄い。
【０００７】
ドラムヘッド上の張力を調節するのにドラムフープ上の複数のチューニングアセンブリを用いることができ、これにより、ドラムヘッドの音をチューニングし、また、異なるドラムヘッドがシェルマウントに連結され得るようになる。ドラムフープは様々な開口も含む。一式のラグはそれら開口の中を通り得、そして、ドラムシェルの側部に亘り取り付けられた対応する一式のラグホルダに接続することになる。
【０００８】
シェルは、ドラムの本体である。それは、ドラムシェルを構成する複数の材料の共鳴に部分的に基づき、ドラムの音響特性の大部分を生み出す。ドラムヘッドに衝撃が与えられたとき、ドラムヘッドは振動する。ラグ締め付けシステムを用いてドラムフープがドラムシェルにきつく連結されているとき、ドラムヘッドからそのドラムヘッドを収容しているフープへ振動が伝えられ、シェルに亘り分散させられる。これらの振動はその後、ドラムシェルを共鳴させ、今度はこのことが、そのドラムの音響特性のいくつかを生み出す。しばしばドラムシェルは、ベントホールと呼ばれる小さな穴を含んでいる。ベントホールは、ドラムが打たれたときに空気が逃げられるようにし、今度はこのことは、ドラムの共鳴を向上させる。
【０００９】
しかし、図１により示される従来のドラム構造および設計は、この共鳴を妨げる。このことは、ドラムシェルに亘る複数のラグホルダ１１０の取り付けに起因している。具体的には、ドラムフープをシェルに連結するために複数のラグが複数のラグホルダ内に配置され締め付けられたとき、それらラグがどれだけきつく締め付けられたかに基づき力が複数のラグホルダに加えられる。その後、その力は、それらラグホルダがシェルに接続されている複数の点に沿ってドラムシェルに伝えられる。この力はドラムシェルを少なくとも１つの方向に引っ張り、ドラムシェルが（１または複数の）反対方向に完全に共鳴するのを防ぐ。これにより、ドラムにより生成される全体的な音を弱めミュートする。
【００１０】
従来のドラム構造および設計はさらに、現在のドラムシェルの製造および生産を、いくつかの例として金属（例えば、鋼または真鍮）、木（例えば、カンバ材、カエデ材、オーク材等）、およびアクリルなど高密度の材料に、より厚みのある構造に、またはこれら両方の何らかの組み合わせに限定することによりドラムにより生成され得る音を遮る。ドラムフープから、ドラムシェルの側部に沿って取り付けられた複数のラグホルダへの複数のラグの張力により加えられる複数の力を吸収する、またはそれに逆らうときにドラムシェルが歪む、または壊れてしまうのを防ぐために、ドラムシェルの材料の密度およびドラムシェルの厚さが必要とされる。これにより、ドラムシェルに対する大きな力が生じることとなる。いくつかのシェルが２０ミリメートルまでもの厚さで製造されるのはこのためである。これらの例において、そのような複数のシェルから共鳴を引き起こすにはより大きなエネルギーが必要とされる。また、密度および厚さによりドラムシェルは、より高い固有周波数で振動することになる。したがって、ドラムにより生成されるサウンドプロファイルは、これらの高密度またはより厚みのある材料が提供する複数の共鳴特性により規定され、およびそれらに限定される。ドラムシェル構成において厚さが薄くされたドラムシェルが用いられ、または密度のより低い材料が用いられ、ドラムシェルが自由に共鳴することが可能とされない限り、ドラムシェルの音の潜在的な範囲を完全には実現し得ない。これら両方の特質によって、ドラムシェルからの共鳴を生じさせるのに必要とされる、打たれたドラムヘッドからの音響エネルギーはより小さくなるであろう。したがって、このことは、より効率的な共鳴サウンドプロファイルをドラムに与えるであろう。
【００１１】
これらの短所のいくつかを改善する試みとして、代替的なドラム設計が提案されている。１つのそのような代替的な設計は、米国特許第５，４１０，９３８号に提供されている。提供されている設計は、頂部側のドラムフープ（すなわち、バッター側）から底部側のドラムフープに延びる複数のテンションロッドの使用により、および、複数のロッドホルダを、ドラムシェルの代わりに複数のフープに連結することによりドラムシェルの共鳴を解放している。この設計は、ドラムシェルの潜在的な共鳴特性を向上させるが、これを達成するにあたり、ドラムの音質の他の犠牲を生じさせている。具体的には、ドラムヘッドからの振動がドラムシェルに亘ってのみではなく、テンションロッドのそれぞれへも分散させられるので、この設計は、歪められた、純粋ではない音を生成する。結果的に、複数のテンションロッドはドラムヘッドが打たれる度に振動を吸収し、それらテンションロッドに、期待されるドラム音と共に、追加の望ましくない音（すなわち、ガタガタ鳴る音）を生成させる。これらの望ましくない音は、マウントまたはチューニングメカニズム（すなわち、テンションロッドおよびロッドホルダ）をドラムの複数の音生成要素（すなわち、ドラムヘッドおよびシェル）から隔離することに失敗している結果として生じるものである。
【００１２】
したがって、ドラムシェルの側部に亘って取り付けられたマウントまたはチューニングメカニズムによる歪みまたは減衰なしでドラムシェルが自由に共鳴することを可能とすることにより、純粋であり、妨げられない音を提供する新たなドラム構造および設計の必要性がある。言い換えると、複数の音生成要素から発せられる音響エネルギーを支持枠体から守るやり方で、支持枠体が、ドラムの複数の音生成要素を共に連結する新たなドラム構造および設計の必要性がある。これらの必要性に対処することにより、類を見ない音のドラムを生み出すことが出来る。ドラム設計はさらに、ドラムシェルに対して加えられる複数の力を低減する必要性に対処することにより、ドラムのサウンドプロファイルを向上させ得る。そうするにあたり、そのような設計は、より薄い複数の材料から構成された複数のシェルがドラム構造に組み込まれることを可能とし、そのドラムシェルは、より厚みのある、またはより高い密度の同様のものより大きな共鳴、およびそれらとは異なる音響特性を提供するであろう。
【発明の概要】
【００１３】
ドラムヘッドからのエネルギーが構造枠体全体に広がるのを低減しつつ、または広がらないよう完全に隔離しつつ、その同じエネルギーを、自由に共鳴するドラムシェルへ分散させるドラム構造枠体を提供することが１つの目的である。したがって、ドラムシェルの共鳴が妨げられず、構造枠体による歪み、および他の望ましくない音が取り除かれた純粋なドラムのサウンドプロファイルを実現するドラム構造枠体を提供することが１つの目的である。
【００１４】
これら、および他の複数の目的は、いくつかの実施形態のアルティマウント構造枠体により実現される。アルティマウント構造枠体は、トップシェルマウント、ボトムシェルマウントと、複数のロッドホルダと、複数のテンションロッドとを含む。複数のアルティマウントロッドホルダに固有なのは、その組み込まれた減衰解決策である。その減衰解決策は、複数の音生成要素に対して演奏中に加えられたエネルギーが構造枠体の複数の非音生成要素に広がるのを低減しつつ、または広がらないよう完全に隔離しつつ、その同じエネルギーを封じ込める。
【００１５】
トップシェルマウントは、ダイキャストフープと、ベアリングエッジリングと、テンションリングとを備える。トップシェルマウントは、ドラムシェルの共鳴を遮ることなく、ドラムの第１ドラムヘッドをドラムシェルに固定し、チューニングする。ボトムシェルマウントは、補足的なダイキャストフープと、ベアリングエッジリングと、これまたシェルの共鳴を遮ることなく第２ドラムヘッドを固定し、チューニングするテンションリングとを備える。具体的には、第１の一式のロッドホルダがトップシェルマウントに連結され、整列させられた第２の一式のロッドホルダがボトムシェルマウントに連結される。複数のテンションロッドは、第１の一式のロッドホルダを、対応する第２の一式のロッドホルダに繋ぐ。トップシェルマウントをボトムシェルマウントから分け隔てる距離を調節し、これにより、ドラムシェルに加えられる圧縮力を制御するのに複数のロッドホルダ上の複数のチューニングアセンブリが用いられ得る。ドラムシェル自体がその頂部および底部の遠位縁に沿ってトップシェルマウントおよびボトムシェルマウントの下面によって接触されるだけなので、その圧縮力がドラムシェルの共鳴を遮ることなく、ドラムシェルを決まった場所に保持する。ドラムシェルに対して加えられる外部からの複数の力がドラムシェルの共鳴を遮ることにより音を弱める他の複数の設計と比較して、ドラムシェルの自由な共鳴は、より豊かでより完全サウンドプロファイルを生成する。これらの外部からの力は典型的には、複数のラグホルダまたは他の複数の力がドラムシェルの側部に沿って配置された、または加えられたときに明らかになる。これらの外部からの力の追加の所望されない副次的結果として、より厚みのあるドラムシェルの必要性が生じる。ドラムシェルの厚さがより大きくなると、共鳴を引き起こし、音を生成するのに必要エネルギー量が大きくなる。しかし、本明細書において主張されている設計はそのような外部からの複数の力をドラムシェルから取り除くので、以前までは不適切であったより薄い複数のドラムシェル、または密度のより低い、プラスチック、粘土、およびガラスなどの材料を用いる複数のドラムシェルが今では用いられ得る。結果的に、ドラム音の新たな進化への扉が開かれる。
【００１６】
さらに、各ロッドホルダは、複数の振動減衰器としての役目を果たす１または複数の隔離リングによりトップシェルマウントまたはボトムシェルマウントの何れかに連結する。複数の減衰器は、ドラムヘッドからドラムシェルへ通るエネルギーが、ドラムヘッドおよびドラムシェルをひとまとまりにしておく複数のテンションロッドおよびロッドホルダの構造枠体全体に亘って広がらないよう、エネルギーを隔離する。このことにより、複数のテンションロッドおよび他の複数の構造枠体要素が振動する、若しくは他の望ましくない音、またはドラムのサウンドプロファイルを駄目にしてしまう残響を生成するのが防がれる。
【図面の簡単な説明】
【００１７】
本願発明の本質をよりよく理解出来るように、アルティマウント構造枠体の好ましい実施形態が、添付の複数の図面を参照して、例としてのみ説明される。
【００１８】
【図１】従来技術によく見られるドラム構造および設計を示す。
【００１９】
【図２】いくつかの実施形態のアルティマウントドラム設計および構造を示す。
【００２０】
【図３】トップシェルマウントのダイキャストフープ、ベアリングエッジリング、およびテンションリングを示す、アルティマウント構造枠体の部分分解図を提供する。
【００２１】
【図４】トップシェルマウントのダイキャストフープ、ベアリングエッジリング、およびテンションリングを示す代替的な分解図を提供する。
【００２２】
【図５】いくつかの実施形態に係る、テンションリング内に挿入され得る、異なる角度でそれぞれが切られている異なる複数のベアリングエッジリングの断面図を提供する。
【００２３】
【図６】少なくとも１つのガイドを有するテンションリングを示す。
【００２４】
【図７】ドラムシェルの内部に複数のテンションロッドが配置されている、一式の内部を向いているロッドホルダを有するアルティマウントドラム設計および構造を示す。
【００２５】
【図８】いくつかの実施形態に係る、ロッドホルダの分解図を示す。
【００２６】
【図９】いくつかの実施形態の振動減衰アセンブリに関する他の分解図を提供する。
【００２７】
【図１０】完成した振動減衰アセンブリを示す。
【００２８】
【図１１】いくつかの実施形態に係る、複数のシェルマウントのうち１つに固定された完成した振動減衰アセンブリに関する代替的な表現を提供する。
【００２９】
【図１２】いくつかの実施形態に係る、拡大されたテンションリング開口を示す２つの図を提供する。
【００３０】
【図１３】いくつかの実施形態のテンションアセンブリに関する分解図を示す。
【００３１】
【図１４】いくつかの実施形態のテンションアセンブリに関する、互いにずらされて示された代替的な分解図を提供する。
【発明を実施するための形態】
【００３２】
図２は、いくつかの実施形態のアルティマウントドラム設計および構造を示す。従来技術の複数のドラム設計および構造と異なり、アルティマウントは、ドラムシェルの共鳴を遮らないやり方で、および、音を生成するドラムヘッドおよびシェルから音を生成しない支持枠体を隔離するやり方で、ドラムヘッドをドラムシェルへと連結する。そうすることにおいて、アルティマウントは、従来技術の複数のドラム設計および構造よりも優れたいくつかの利点を提供する。第１に、アルティマウントは演奏中にドラムシェルの共鳴を遮らないので、アルティマウントは、より豊かで、より完全に聞こえるドラムを提供する。第２に、ドラムの複数の音生成要素からの構造枠体の隔離が理由となり、アルティマウントは、ドラムの全体的なサウンドプロファイルから、望ましくない音および歪められた音を取り除く。第３に、アルティマウントは、他の複数の枠体によりドラムシェルに対して加えられる外部からの複数の力を取り除くので、アルティマウントは全体的に新しい複数のドラムシェルの製造を可能とし、これにより、ドラムシェルは、より薄い構造および／または密度のより低い材料で製造されることが可能となり、したがって、より良好な共鳴が提供される。
【００３３】
図２に示されるように、アルティマウント構造枠体は、トップシェルマウント２１０と、複数のロッドホルダ２２０と、複数のテンションロッド２３０と、ボトムシェルマウント２４０とを含む。この構造枠体は、ドラムヘッドをシェルに連結する。より重要なことは、この構造枠体は、演奏中にドラムヘッドに対して加えられた音響エネルギーが、構造枠体全体で広がることなく、および歪められた、または望ましくない音を引き起こすことなく、遮られず、自由に共鳴するドラムシェルへ分散させられることを確実にするということである。
【００３４】
トップシェルマウント２１０およびボトムシェルマウント２４０は、金属（例えば、真鍮、鋼等）または炭素繊維など剛性材料から構成される。各シェルマウント２１０および２４０は、ダイキャストフープと、ベアリングエッジリングと、テンションリングとを含む。図３は、トップシェルマウント２１０のダイキャストフープ３１０と、ベアリングエッジリング３２０と、テンションリング３３０とを示す、アルティマウント構造枠体の部分分解図を提供する。図４は、トップシェルマウント２１０のダイキャストフープ３１０と、ベアリングエッジリング３２０と、テンションリング３３０とを示す代替的な分解図を提供する。簡潔にするために、ダイキャストフープは入れ替え可能に上側リングと呼ばれ、テンションリングは入れ替え可能に下側リングと呼ばれる。
【００３５】
下側リングまたはテンションリング３３０は、ドラムシェルの外側の縁の頂部に取り付けられる。テンションリング３３０は、リングの周囲に沿って中央に延びる窪んだグルーブ３４０を有する中空の内部空洞を有する。
【００３６】
ベアリングエッジリング３２０は、ベアリングエッジリング３２０がテンションリング３３０の窪んだグルーブ内に収まること、および、ドラムの正確なチューニングを補助することを可能とする下方に向かって突き出た縁を有する。それにより、ベアリングエッジリング３２０は容易に入れ換え可能であり、これにより、アルティマウント枠体は、様々な角度で切られた複数のベアリングエッジを収容することが可能となる。各角度は、ドラムの調性を変化させ、より一般的には、サウンドプロファイルを変化させる。いくつかの実施形態は、３０度で切られたベアリングエッジを提供し、他の複数の実施形態は、４５度で切られたベアリングエッジを提供する。ドラムヘッドが３０度のベアリングエッジの頂部に配置され、チューニングされ、演奏されたとき、得られる音は、メロウなアタックを有しサステインが短く、他方、ドラムヘッドが４５度のベアリングエッジの頂部に配置され、チューニングされ、演奏されたとき、得られる音は、大きなアタックを有しサステインが長い。これらの角度は、例示を目的として提供されている。したがって、リング３２０はこれらの角度に限定されず、任意の他の角度で切られ得る。図５は、いくつかの実施形態に係る、テンションリング内に挿入され得る、異なる角度でそれぞれが切られている異なる複数のベアリングエッジリング５１０、５２０、５３０、および５４０の断面図を提供する。
【００３７】
ベアリングエッジリング３２０のテンションリング３３０内での入れ替え可能性によってユーザには、ドラムのサウンドプロファイルを変化させるための迅速、単純、かつ費用効果がよい手段が提供されることになる。また、入れ替え可能性は、第１の角度で切られた第１ベアリングエッジリングがトップシェルマウントのテンションリング内に挿入されることを可能とし、第２の異なる角度で切られた第２ベアリングエッジリングがボトムシェルマウントのテンションリング内に挿入されることを可能とする。ベアリングエッジリング３２０は、いくつかの例として鋼、真鍮、木、または炭素繊維から作られ得る。
【００３８】
上記にて言及されているように、ドラムヘッドはベアリングエッジリング３２０の頂部に配置され、上側リングまたはダイキャストフープ３１０は、ドラムヘッド上に配置され、テンションリング３３０に固定される。典型的には、ダイキャストフープ３１０は、テンションリング３３０の外周周りに嵌まるようにテンションリング３３０と相対的に大きくされる。ドラムヘッドの張力は、ダイキャストフープ３１０に沿った複数の穴を通り、テンションリング３３０の外縁に沿った対応する一式のネジ孔にネジ留めされる一式のネジまたはラグを締める、または緩めることにより調節される。これらのネジ孔の複数の例は、参照マーカ２５０によって図２に示されている。よりきつくダイキャストフープ３１０がテンションリング３３０へ固定されることにより、ドラムヘッドに加えられる力がより大きくなる。この力を調節することにより、ドラムヘッドがどれだけぴんと張られた状態となるかが制御され、これにより、ドラムヘッドの音がチューニングされる。いくつかの実施形態において、複数のネジまたはラグを締め付け、これにより、ドラムヘッドの所望されるレベルの張力を実現するのに、トルクレンチが用いられ得る。トップシェルマウント２１０とボトムシェルマウント２４０との間で、異なる複数のドラムヘッドが挿入され得る。それにより、ドラムは、例えば、ドラムの頂部側またはバッター側の１つの端またはドラムヘッドにおいて「タム」として、他端において「スネア」として演奏され得る。
【００３９】
いくつかの実施形態において、テンションリング３３０は、シェルマウントをドラムシェルに連結するのを補助する１または複数ガイドを含む。図６は、少なくとも１つのガイド６１０を有するテンションリングを示す。ガイド６１０は、テンションリングの内部の下面から延在する突起である。テンションリングをドラムシェルの周囲の内部に沿って配置することによりドラムシェルの直接上に整列させるように、複数のガイドが用いられる。
【００４０】
各シェルマウント２１０および２４０のテンションリング３３０または下側リングは、２つの目的のための役目を果たす。上記にて言及されているように、第１の目的は、ダイキャストフープ３１０と連結して、ドラムヘッドを保持し、チューニングを行うことに関する。第２の目的は、音響エネルギーが構造枠体全体に広がるのを防ぎつつ、同じエネルギーをドラムヘッドからドラムシェルへ分散させるために、ドラムヘッドをドラムシェルに連結することに関する。音響エネルギーの隔離は、各シェルマウント２１０および２４０のテンションリング３３０に連結されたロッドホルダ２２０と複数のテンションロッド２３０とから振動が隔離される、設計および構造に基づいて実現される。
【００４１】
いくつかの実施形態において、テンションリング３３０がドラムシェルの終端の縁上に配置されたときに、テンションリング３３０が、シェルの終端の縁の面を超えて、その中央から離れて数ミリメートル延在するよう、テンションリング３３０は、５〜３０ミリメートルの幅および高さを有する。いくつかの他の実施形態において、テンションリング３３０は、ドラムシェルの縁の半径よりも大きな半径でテンションリング３３０から突出するカバーに基づき、シェルの終端の縁の面の鉛直方向に下方に、その中央に向かって延在する。何れかの構成において、複数の開口が、テンションリングの周面に亘ってあけられる。
【００４２】
図２を再び参照すると、第１の一式のロッドホルダ２２０は、設けられた複数の開口において、トップシェルマウント２１０のテンションリングに連結する。同様に、第２の一式のロッドホルダ２２０は、設けられた複数の開口において、ボトムシェルマウント２４０のテンションリングに連結する。複数のロッドホルダ２２０は、それらの振動隔離設計および構造が理由となり、従来技術のものと比較して固有である。複数のホルダ２２０は、演奏中にドラムヘッドに加えられるエネルギーを低減する、または、ドラムをひとまとまりにしておく構造枠体から、より具体的には、テンションロッド２３０から完全に隔離する。このことにより、テンションロッド２３０が演奏中にガタガタ鳴る、または他の望ましくない音を生成するのが防がれる。
【００４３】
図２に示される実施形態において、複数のテンションロッド２３０がドラムシェルの外部に沿って長さ方向に延びるように、複数のロッドホルダ２２０は外部を向いている。しかし、図７に描かれるものなど他の複数の実施形態は、複数のテンションロッド２３０がドラムシェルの内部において長さ方向に延びるように、複数のロッドホルダ２２０が内部を向いている構造枠体を備える。
【００４４】
いくつかの実施形態に係るロッドホルダ２２０の分解図が、図８に提供されている。同図は、アルティマウント構造枠体を通じて広がらないよう音響エネルギーを隔離する複数の構造要素を示している。示されるように、ロッドホルダ２２０は、３つの面が形成されたバインディングアンカー８１０、振動減衰アセンブリ８１５、およびテンションアセンブリ８２０から構成されている。
【００４５】
３つの面が形成されたバインディングアンカー８１０は、ロッドホルダ２２０を複数のシェルマウントのうち１つに固定し、構造枠体をドラムヘッドおよびドラムシェルから隔離するよう振動減衰アセンブリ８１５と関連して用いられる水平方向のネジ山付き開口を含む。３つの面が形成されたバインディングアンカー８１０は、両側にある鉛直方向の開口も含む。両側にある鉛直方向の開口の一端は、テンションロッド２３０を受け入れる。テンションロッド２３０は他端まで通り抜け、そこで、テンションアセンブリ８２０のネジ山付きナット８７０を用いて固定される。
【００４６】
振動減衰アセンブリ８１５は、ボルト８３０と、複数のスペーサ８４０と、複数の減衰器８５０と、複数のグリップドエンドキャップ８５５とを含む。いくつかの実施形態において、複数のエンドキャップ８５５および複数のスペーサ８４０は、構造的な一体性のために金属から、または高い引張り強度のために炭素繊維から作られる。複数の減衰器８５０は、吸収性および減衰性の複数の材料から作られる。いくつかの実施形態において、複数の減衰器８５０は、炭素繊維などの他の複数の材料も用いられ得るが、ゴムから作られた複数の隔離リングである。また、いくつかの他の実施形態において、複数のエンドキャップ８５５および複数のスペーサ８４０は、複数の隔離リング減衰器８５０により提供される減衰を補うべく、吸収性および減衰性の複数の材料から作られる。
【００４７】
振動減衰アセンブリ８１５は、ロッドホルダ２２０をシェルマウント２１０および２４０のうち１つに固定し、より重要なことに、ドラムヘッドに対して加えられる衝撃エネルギーが、ドラムをひとまとまりに保持しているアルティマウント構造枠体を通ることを防ぐ。そうするにあたり、グリップドエンドキャップ８５５は、複数のテンションリングのうちの１つの周面に沿った開口の両側に配置される。各グリップドエンドキャップ８５５は、テンションリングの周面との表面接触を最小化する一式の円錐状突起を含む。複数のグリップドエンドキャップ８５５と周面との間の接触面を最小化することにより、構造枠体に伝えられるエネルギー量が最小化され、これにより、構造枠体内で減衰されなければならないエネルギー量が最小化される。また、構造枠体に伝えられるエネルギー量を最小化することにより、エネルギーのうちより多くが保存され、ドラムシェルに伝えられ、より完全でありミュートの少ない音が得られる。いくつかの実施形態において、テンションリングの周面は、複数のエンドキャップ８５５の一式の円錐状突起のための一式の窪んだガイドを含む。隔離リングまたはブッシュの形態の減衰器８５０は、何れかのグリップドエンドキャップ８５５の反対側に沿って配置される。最後に、スペーサ８４０が、複数の減衰器８５０の両側に配置される。いくつかの実施形態において、複数のエンドキャップ８５５、複数の減衰器８５０、および複数のスペーサ８４０のそれぞれは、テンションリングの内部に沿って配置されるか、または外部に沿って配置されるかに応じて、その形状は凸面または凹面であり得る。
【００４８】
複数のエンドキャップ８５５、複数の減衰器８５０、および複数のスペーサ８４０のそれぞれは、それぞれの中央に、ボルト８３０を収容するようサイズ決めされた円形の開口を有する。一度それらの要素が配置されると、テンションリングの開口がその配置の中央にある状態で、ボルト８３０がそれら要素のそれぞれを通らされる。ボルト８３０は、３つの面が形成されたバインディングアンカー８１０の水平方向のネジ山付き開口にネジ留めされる。そしてこのことにより、ロッドホルダ２２０が、トップシェルマウント２１０またはボトムシェルマウント２４０の何れかのテンションリングに固定される。さらに、それは、減衰器８５０がエネルギーを吸収し、構造枠体へと伝わることを防ぐことを可能とする必要な接触を確立する。
【００４９】
また、複数のエンドキャップ８５５、複数の減衰器８５０、および複数のスペーサ８４０は、それらが取り付けられるテンションリングの半径方向の高さに従ってサイズ決めされる。いくつかの実施形態において、半径方向の高さは、ドラムシェルのサイズ（または直径）、および、対応する、ドラムシェルに嵌め合うシェルマウントのサイズに基づき変化する。異なるようにサイズ決めされた複数のエンドキャップ８５５、複数の減衰器８５０、および複数のスペーサ８４０は、テンションリングと振動減衰アセンブリ８１５との間の十分な接触を提供することにより、複数の構成要素が、テンションリングの半径方向の高さを超えて延在するように大きすぎること、または、テンションリングの周面に沿った開口と係合するのではなくそれらが通り抜けるように小さすぎることを避けつつ、適切な減衰を確実にする。またこのことは、複数のガイドが存在しているときに、複数のエンドキャップ８５５の複数の円錐状の突起が、テンションリングの周面に沿った複数の窪んだガイド内に嵌め合うことを確実にする。
【００５０】
図９は、複数のロッドホルダ２２０の振動減衰アセンブリ８１５を構成する、ボルト８３０、複数のスペーサ８４０、複数の減衰器８５０、および複数のグリップドエンドキャップ８５５の他の分解図を提供する。図１０は、シェルマウント２１０または２４０のうち１つに固定された完成した振動減衰アセンブリを示す。図１１は、いくつかの実施形態に係る、シェルマウント２１０または２４０のうち１つに固定された完成した振動減衰アセンブリに関する代替的な表現を提供する。
【００５１】
いくつかの実施形態において、テンションリングの開口は、ボルト８３０よりもわずかに大きい。テンションリングの開口に追加の間隔をあけることにより、ドラムが打たれたときに空気が逃げるのを可能とし、これにより、通気および向上した共鳴が提供される。いくつかの実施形態において、図１２の周面は、いくつかの実施形態に係る、拡大されたテンションリングの開口を示す２つの図を提供する。
【００５２】
再び図８を参照すると、テンションアセンブリ８２０は、トップボルト８６０と、ワッシャ８６５と、ネジ山付きナット８７０とから構成される。図１３は、いくつかの実施形態のテンションアセンブリ８２０の分解図を示す。図１４は、いくつかの実施形態のテンションアセンブリ８２０に関する、互いにずらされて示された代替的な分解図を提供する。テンションアセンブリ８２０は、３つの面が形成されたバインディングアンカー８１０とテンションロッド２３０と共に動作して、アルティマウントのトップシェルマウント２１０とボトムシェルマウント２４０との間にドラムシェルを固定する。
【００５３】
いくつかの実施形態において、各テンションロッド２３０は、ロッドの両端に外部スレッドと内部スレッドとを含む中空のシャフトである。いくつかの実施形態において、複数のテンションロッド２３０は、金属、炭素繊維、または他の複数の剛性材料から作られる。図１４の参照マーカ１４１０は、外部スレッドを示し、参照マーカ１４２０は、内部スレッドの位置を指す。この構成は、テンションロッド２３０がアンカー８１０に取り付けられ固定される２段階の雄雌連結メカニズムが生じさせる。
【００５４】
雄雌連結メカニズムの第１段階を完成させるべく、テンションロッド２３０の外部のネジ山付き端部は、第１のネジ山付きナット８８０を通ってネジ留めされ、アンカー８１０の鉛直方向の開口を通り、そして、アンカー８１０の他端において第２ネジ山付きナット８７０と固定される。第１段階が完成させられることにより、テンションロッド２３０のアンカー８１０への緩い連結が提供され、これにより、テンションロッド２３０は、アンカーのためのロッドホルダが連結されたシェルマウントに固定される。テンションロッド２３０の他の外部のネジ山付き端部は同様に、補足的な第２ネジ山付きナット８７０を用いて反対側のシェルマウントに連結されたロッドホルダに固定される。複数のナット８７０が締め付けられたとき、シェルマウント２１０および２４０を分け隔てる距離は短くなり、これにより、マウント２１０および２４０間に配置さえたドラムシェルが圧縮される。いくつかの実施形態において、テンションロッド２３０の端部がアンカーの頂部から少なくとも４ｃｍ離れて、これにより、２つの繋がれたシェルマウント２１０および２４０間の距離が合計８ｃｍだけ異なることを可能とするよう、テンションロッド２３０は、ナット８７０を介してネジ留めされ得る。シェルマウント２１０および２４０を分け隔てる距離、その間に配置されたドラムシェルに加えられる所望される圧縮力は、ナット８７０を締め付けるトルクレンチを用いて具体的にダイアル設定され得る。このカスタマイズ可能性は、異なる複数の材料の複数のドラムシェルのためにアルティマウント枠体を最適化する。例えば、アルティマウント枠体は、ガラスから作られたものなど、より脆い複数のドラムシェルと共に、シェルに対する圧縮力を弱めることにより用いられ得るが、またアルティマウント枠体は、木でつくられたものなどより剛性の高いドラムシェルと共に、そのタイプのシェル材料に対する圧縮力を増加させることにより用いられ得る。
【００５５】
一度、マウント２１０および２４０間の所望される距離が実現され、第２ネジ山付きナット８７０およびテンションロッド２３０を用いてドラムシェルに対して所望される圧縮力が加えられると、テンションアセンブリ８２０のトップボルト８６０が用いられて、テンションロッド２３０と相対的に第２ネジ山付きナット８７０の位置をロックする。トップボルト８６０の外部スレッドがテンションロッド２３０の内部スレッドにネジ留めされ、これにより、雄雌連結メカニズムの第２段階が完成する。具体的には、トップボルト８６０のエンドキャップが、ワッシャ８６５の下面を第２ネジ山付きナット８７０の頂部に対して押し付けるまで、トップボルト８６０はワッシャ８６５を通り、テンションロッド２３０にネジ留めされる。そうするにあたり、トップボルト８６０は、振動が、テンションロッド２３０上の第２ネジ山付きナット８７０の位置を変化させてしまうことを防ぎ、これにより、シェルマウント２１０および２４０を分け隔てる距離、および結果として、テンションロッド２３０およびテンションアセンブリ８２０を用いた複数のシェルマウントの連結によってドラムシェルに加えられる圧縮力が維持される。ワッシャ８６５は、第２ネジ山付きナット８７０とトップボルト８６５との間に空間的隔たりがあるときに、トップボルト８６０が締め付けられることを可能とするよう厚さが変化させられ得る。
【００５６】
いくつかの実施形態において、アルティマウント構造および設計は、上記にて説明されたものに加えて、またはそれらの代わりに、異なる複数の要素を組み込むように適合させられる。例えば、いくつかの実施形態において、複数のテンションロッドは、複数の外部スレッドのみを含む複数のシャフトを備え得、これにより、トップボルト８６０の必要がなくなる。
【００５７】
複数の図面から明らかであるように、アルティマウント設計によれば、ドラムシェルは、ドラムシェルと、トップシェルマウント２１０およびボトムシェルマウント２４０との間の接触に基づいて圧縮力が加えられるだけである。言い換えると、ドラムシェルは、ｙ軸方向の力を受ける。しかし、ｘ軸方向の力はドラムシェルに加えられない。何らかのそのようなｘ軸方向の力は、ロッドホルダ２３０の複数のシェルマウントへの連結に基づき、トップシェルマウント２１０およびボトムシェルマウント２４０に加えられる。シェルに加えられるｘ軸方向の力を取り除くことにより、アルティマウント構造枠体は、従来のドラムマウントに通常必要とされる厚さより薄い材料で構成された複数のシェルに取り付けられ得る。具体的には、アルティマウント構造枠体は、主にプラスチック、粘土、またはガラスから作られた複数のドラムシェルにも対応する。これら材料は、従来の木、鋼、または真鍮のシェルとは異なる共鳴特性を有する。結果的に、アルティマウントは、ドラム音の新たな進化への扉を開く。以下に本実施形態の一例を項目として示す。
［項目１］
第１の複数の水平方向を向いている開口を含む外縁を有するトップシェルマウントと、
第２の複数の水平方向を向いている開口を含む外縁を有するボトムシェルマウントと、
複数のアンカーアセンブリと、
複数のロッドと
を備え、
各アンカーアセンブリは、
（ｉ）水平方向の空洞と鉛直方向の空洞とを含むアンカーブロックと、
（ｉｉ）一対の振動吸収減衰器と、
（ｉｉｉ）ボルトと
を有し、
一のアンカーブロックは、外縁の水平方向を向いている開口の両側に沿って一対の振動吸収減衰器を配置することにより、ボルトを一対の振動吸収減衰器を通して挿入することにより、および、ボルトの端部をアンカーブロックの水平方向の空洞内に固定することにより、トップシェルマウントとボトムシェルマウントとのうち少なくとも１つの外縁に水平方向に連結し、
各ロッドは、両端に複数のスレッドを有し、トップシェルマウントに連結された第１アンカーブロックの鉛直方向の空洞と、ボトムシェルマウントに連結され第１アンカーブロックと整列させられた第２アンカーブロックの鉛直方向の空洞とに固定され、
トップシェルマウントとボトムシェルマウントとを分け隔てる距離は、複数のロッドが鉛直方向の空洞内に固定される深さに基づき設定可能である、楽器。
［項目２］
各アンカーアセンブリは、複数の突起を含むエンドキャップをさらに有し、
エンドキャップは、複数の突起が外縁に当接させられた状態で振動吸収減衰器と外縁の水平方向を向いている開口との間に配置される、項目１に記載の楽器。
［項目３］
トップシェルマウントは、入れ換え可能なベアリングエッジを保持するためのベアリングエッジグルーブをさらに有する、項目１または２に記載の楽器。
［項目４］
異なる複数の角度でそれぞれが切られた複数のベアリングエッジをさらに備え、
各ベアリングエッジの角度は、ベアリングエッジグルーブ内に差し込まれたときに、楽器に、異なる調性を提供する、項目３に記載の楽器。
［項目５］
トップシェルマウントとボトムシェルマウントとの間に配置されたシェルをさらに備え、
シェルの共鳴により生成される音は、複数のロッドが鉛直方向の空洞内に固定される深さを調節することにより設定可能である、項目１から４のいずれか一項に記載の楽器。
［項目６］
複数のロッドは、各シェルマウントの外縁の外面に沿って、トップシェルマウントをボトムシェルマウントへ繋ぐ、項目１から５のいずれか一項に記載の楽器。
［項目７］
複数のロッドは、各シェルマウントの外縁の内面に沿って、トップシェルマウントをボトムシェルマウントに繋ぐ、項目１から６のいずれか一項に記載の楽器。
［項目８］
音楽用のドラムのためのマウント・チューニングシステムであって、
ドラムシェルの第１エッジに取り付けられるトップシェルマウントと、
ドラムシェルの第２の反対の縁に取り付けられるボトムシェルマウントと、
トップシェルマウントとボトムシェルマウントとのうち１つの周面に水平方向に連結し、それぞれが鉛直方向の開口を有する複数のアンカーと、
複数のテンションロッドカプラと、
近位端と遠位端とをそれぞれが有する複数のテンションロッドと
を備え、
近位端は、ボトムシェルマウントに連結され、第１テンションロッドカプラに固定されたアンカーの鉛直方向の開口を通り、
遠位端は、トップシェルマウントに連結され、第２テンションロッドカプラに固定されたアンカーの鉛直方向の開口を通り、
ドラムの音響特性は、第１テンションロッドカプラと第２テンションロッドカプラとのうち何れかを一方向に回転させて、対応するテンションロッドをさらに鉛直方向の開口を通じて引っ張り、これにより、トップシェルマウントとボトムシェルマウントとの間に配置されたドラムシェルにより大きな圧縮を加えることにより調節される、マウント・チューニングシステム。
［項目９］
異なる角度のベアリングエッジをそれぞれが有する複数のベアリングエッジリングをさらに備え、
トップシェルマウントは、上側リングと、複数のベアリングエッジリングのうちの何れか１つを保持するためのグルーブを含む下側リングとを有する、項目８に記載のマウント・チューニングシステム。
［項目１０］
ドラムの第２音響特性は、所望される角度のベアリングエッジを有するベアリングエッジリングをグルーブに挿入し、ベアリングエッジにドラムヘッドを配置し、ドラムヘッドに上側リングを配置し、上側リングを下側リングに固定することにより調節される、項目９に記載のマウント・チューニングシステム。
［項目１１］
トップシェルマウントは第１ドラムヘッドを有し、
ボトムシェルマウントは、演奏されたときに、第１ドラムヘッドとは異なる音を生成する第２ドラムヘッドを有する、項目８から１０のいずれか一項に記載のマウント・チューニングシステム。
［項目１２］
ドラム音をカスタマイズするための枠体であって、
異なる複数の角度で切られ、ドラム音の第１カスタマイズを提供する複数のベアリングエッジと、
ドラムシェルの第１エッジの頂部に取り付れたトップシェルマウントと
を備え、
トップシェルマウントは、（ｉ）複数のベアリングエッジの何れかを受けるグルーブと、（ｉｉ）グルーブに差し込まれるベアリングエッジ上に位置付けられるドラムヘッドとを有し、
グルーブ内に差し込まれたベアリングエッジの角度は、ドラムヘッドからドラムシェルへのエネルギーの伝達を変化させることによりドラム音の第１カスタマイズを提供し、
枠体は、
ドラムシェルの、第１エッジと反対の第２エッジの頂部に取り付けるためのボトムシェルマウントと、
少なくともドラムシェルの長さに亘って延びる複数のテンションロッドと、
複数のホルダと
を備え、
複数のホルダのうち各ホルダは、
（ｉ）鉛直方向に向けられた開口と水平方向に向けられた開口とを含むアンカーと、
（ｉｉ）トップシェルマウントとボトムシェルマウントとのうち１つの周面に沿って開口を通りアンカーの水平方向に向けられた開口に固定されることにより、ホルダをトップシェルマウントとボトムシェルマウントとのうちの１つに連結するためのボルトと、
（ｉｉｉ）トップシェルマウントをボトムシェルマウントから分け隔てる距離を調節することによりドラム音の第２のカスタマイズを提供するテンションロッドカプラと
を有し、
距離を調節することは、テンションロッドカプラを、鉛直方向に向けられた開口を通るテンションロッドの端部に連結し、テンションロッドカプラを第１方向に回転させて距離を短くし、テンションロッドカプラを反対方向である第２の方向に回転させて距離を長くすることを含む、枠体。
［項目１３］
テンションロッドカプラを第１方向に回転させて距離を短くすることにより、ドラムシェルの圧縮が増加し、
テンションロッドカプラを第２方向に回転させて距離を長くすることにより、ドラムシェルの圧縮が減少する、項目１２に記載の枠体。
［項目１４］
複数のベアリングエッジの第１ベアリングエッジは３０度の角度で切られ、複数のベアリングエッジの第２ベアリングエッジは４５度の角度で切られる、項目１２または１３に記載の枠体。
［項目１５］
複数のベアリングエッジの第１ベアリングエッジは、丸みのある縁を提供する角度で切られ、複数のベアリングエッジの第２ベアリングエッジは鋭い縁を提供する角度で切られる、項目１２から１４のいずれか一項に記載の枠体。
［項目１６］
複数のテンションロッドの各テンションロッドは、外部スレッドを含む第１端部と外部スレッドを含む第２端部とを有する、項目１２から１５のいずれか一項に記載の枠体。
［項目１７］
テンションロッドカプラは、外部スレッドにネジ留めされるナットを含む、項目１６に記載の枠体。
［項目１８］
複数のテンションロッドの各テンションロッドは、外部スレッドと内部スレッドとを含む第１端部と、外部スレッドと内部スレッドとを含む第２端部を有する、項目１２から１７のいずれか一項に記載の枠体。
［項目１９］
特定のテンションロッドの第１端部のための外部スレッドは、鉛直方向に向けられた開口の第１端部を通り、鉛直方向に向けられた開口の反対にある第２端部においてナットにより固定され、
テンションロッドカプラは、第２端部からナットを通り、特定のカプラの第１端部のための内部スレッドにネジ留めされてナットを決まった場所にロックするボルトを含む、項目１８に記載の枠体。
［項目２０］
トップシェルマウントは、グルーブを含む下側リングと上側リングとをさらに有し、
ドラムヘッドは、上側リングをドラムヘッド上に配置し、上側リングを下側リングに固定することにより固定される、項目１２から１９のいずれか一項に記載の枠体。
【図１】
0005987236.tif 000002
【図２】
0005987236.tif 000003
【図３】
0005987236.tif 000004
【図４】
0005987236.tif 000005
【図５】
0005987236.tif 000006
【図６】
0005987236.tif 000007
【図７】
0005987236.tif 000008
【図８】
0005987236.tif 000009
【図９】
0005987236.tif 000010
【図１０】
0005987236.tif 000011
【図１１】
0005987236.tif 000012
【図１２】
0005987236.tif 000013
【図１３】
0005987236.tif 000014
【図１４】
0005987236.tif 000015